(57)【要約】【課題】様々な内部寸法の押入に対して取付可能で、細かな手直しも容易な押入用棚板の施工方法を提供する。【解決手段】前受け部材１と後受け部材２との間の長さＬ1よりも長い複数の第１板材１０を並列させるとともに、第１板材１０と直交するように左右の横受け部材３，３の間の長さＬ2よりも長い複数の第２板材２０を並列させ、かつ第１板材１０の長手方向の端部１０ａを第２板材２０の幅方向の端部から突出させ、第２板材２０の長手方向の端部２０ａを第１板材１０の幅方向の端部から突出させた状態で、第１板材１０と第２板材２０を固定して押入用棚板１００を形成し、第１板材１０の長手方向の端部１０ａを、前受け部材１と後受け部材２との間の長さＬ1に合わせて切断し、第２板材２０の長手方向の端部２０ａを、左右の横受け部材３，３の間の長さＬ2に合わせて切断し、前受け部材１と後受け部材２と左右の横受け部材３，３との間に取り付ける。【選択図】図４
2008038533.tif 000002
【特許請求の範囲】
【請求項１】
押入内の前受け部材と後受け部材と左右の横受け部材との間に棚板を取り付ける押入用棚板の施工方法であって、
前記前受け部材と前記後受け部材との間の長さよりも長い複数の第１板材を並列させるとともに、前記第１板材と直交するように前記左右の横受け部材の間の長さよりも長い複数の第２板材を並列させ、かつ前記第１板材の長手方向の端部を前記第２板材の幅方向の端部から突出させ、前記第２板材の長手方向の端部を前記第１板材の幅方向の端部から突出させた状態で、前記第１板材と前記第２板材を固定して押入用棚板を形成し、
前記第１板材の長手方向の端部を、前記前受け部材と前記後受け部材との間の長さに合わせて切断し、前記第２板材の長手方向の端部を、前記左右の横受け部材の間の長さに合わせて切断し、
前記第１板材の端部及び前記第２板材の端部を切断した押入用棚板を、前記前受け部材と前記後受け部材と前記左右の横受け部材との間に取り付けることを特徴とする押入用棚板の施工方法。
【請求項２】
押入内の前受け部材と後受け部材と左右の横受け部材との間に棚板を取り付ける押入用棚板の施工方法であって、
複数の第１板材を並列させるとともに、前記第１板材と直交するように前記左右の横受け部材の間の長さよりも長い複数の第２板材を並列させ、かつ前記第２板材の長手方向の端部を前記第１板材の幅方向の端部から突出させた状態で、前記第１板材と前記第２板材を固定して押入用棚板を形成し、
前記第２板材の長手方向の端部を、前記左右の横受け部材の間の長さに合わせて切断し、
前記第２板材の端部を切断した押入用棚板を、前記前受け部材と前記後受け部材と前記左右の横受け部材との間に取り付けることを特徴とする押入用棚板の施工方法。
【請求項３】
押入内の前受け部材と後受け部材と左右の横受け部材との間に棚板を取り付ける押入用棚板の施工方法であって、
前記前受け部材と前記後受け部材との間の長さよりも長い複数の第１板材を並列させるとともに、前記第１板材と直交するように複数の第２板材を並列させ、かつ前記第１板材の長手方向の端部を前記第２板材の幅方向の端部から突出させた状態で、前記第１板材と前記第２板材を固定して押入用棚板を形成し、
前記第１板材の長手方向の端部を、前記前受け部材と前記後受け部材との間の長さに合わせて切断し、
前記第１板材の端部を切断した押入用棚板を、前記前受け部材と前記後受け部材と前記左右の横受け部材との間に取り付けることを特徴とする押入用棚板の施工方法。
【請求項４】
前記第１板材及び前記第２板材を、それぞれ間隔を空けて並列させることを特徴とする請求項１乃至請求項３のうちいずれか一つに記載の押入用棚板の施工方法。
【請求項５】
前記押入用棚板は、前記第１板材を表側に、前記第２板材を裏側に固定して形成されており、前記押入用棚板を取り付けた後、前記横受け部材に隣接する前記第１板材と壁材との隙間に、その隙間に対応した幅の板材を固定することを特徴とする請求項１又は請求項２に記載の押入用棚板の施工方法。
【請求項６】
前記押入用棚板は、前記第２板材を表側に、前記第１板材を裏側に固定して形成されており、前記押入用棚板を取り付けた後、前記前受け部材に隣接する前記第２板材と前受け部材との隙間、及び前記後受け部材に隣接する前記第２板材と壁材との隙間に、その隙間に対応した幅の板材を固定することを特徴とする請求項１又は請求項３に記載の押入用棚板の施工方法。
【請求項７】
前記第１板材と前記第２板材のうち裏側に固定された板材の表面を塗装することを特徴とする請求項１乃至請求項６のうちいずれか一つに記載の押入用棚板の施工方法。
【請求項８】
押入内の前受け部材と後受け部材と左右の横受け部材との間に取り付ける押入用棚板であって、
前記前受け部材と前記後受け部材との間の長さよりも長い複数の第１板材を並列させるとともに、前記第１板材と直交するように前記左右の横受け部材の間の長さよりも長い複数の第２板材を並列させ、
前記第１板材の長手方向の端部を前記前受け部材と前記後受け部材との間の長さに合わせて切断可能なように、前記第１板材の長手方向の端部を前記第２板材の幅方向の端部から突出させ、前記第２板材の長手方向の端部を前記左右の横受け部材の間の長さに合わせて切断可能なように、前記第２板材の長手方向の端部を前記第１板材の幅方向の端部から突出させた状態で、前記第１板材と前記第２板材を固定したことを特徴とする押入用棚板。
【請求項９】
押入内の前受け部材と後受け部材と左右の横受け部材との間に取り付ける押入用棚板であって、
複数の第１板材を並列させるとともに、前記第１板材と直交するように前記左右の横受け部材の間の長さよりも長い複数の第２板材を並列させ、
前記第２板材の長手方向の端部を前記左右の横受け部材の間の長さに合わせて切断可能なように、前記第２板材の長手方向の端部を前記第１板材の幅方向の端部から突出させた状態で、前記第１板材と前記第２板材を固定したことを特徴とする押入用棚板。
【請求項１０】
押入内の前受け部材と後受け部材と左右の横受け部材との間に取り付ける押入用棚板であって、
前記前受け部材と前記後受け部材との間の長さよりも長い複数の第１板材を並列させるとともに、前記第１板材と直交するように複数の第２板材を並列させ、
前記第１板材の長手方向の端部を前記前受け部材と前記後受け部材との間の長さに合わせて切断可能なように、前記第１板材の長手方向の端部を前記第２板材の幅方向の端部から突出させた状態で、前記第１板材と前記第２板材を固定したことを特徴とする押入用棚板。
【請求項１１】
前記第１板材及び前記第２板材を、それぞれ間隔を空けて並列させたことを特徴とする請求項８乃至請求項１０のうちいずれか一つに記載の押入用棚板。
【発明の詳細な説明】
【技術分野】
【０００１】
本発明は、押入を上下に仕切る押入用棚板及びその施工方法に関するものである。
【背景技術】
【０００２】
従来、図８に示すように、押入には、内部を上下に分割する押入用棚板２００が取り付けられている。この押入用棚板２００は、合板等の１枚の板材から形成され、押入内の前受け部材１、後受け部材２、横受け部材３，３の間に取り付けられている。
ところが、このような押入用棚板２００を取り付けた押入の場合、襖を閉めてしまうと、押入内の上下方向の空気の循環が押入用棚板２００によって妨げられてしまう。そのため、収納される寝具等から放出された水分により、押入内の湿度が高くなり、結露や黴が発生するおそれがあった。
【０００３】
これに対して、押入の襖を開放して通気を図る方法のほか、乾燥材の使用や、押入内の中段や下段にスノコを置くといった方法が行われている。
さらに特許文献１には、押入内の中段の棚板自体をスノコにして、上下の空気の循環を良好にした発明が開示されている。
【特許文献１】特許第２９９７２５６号公報
【発明の開示】
【発明が解決しようとする課題】
【０００４】
しかし、上記従来のスノコを用いた方法では、予め一定の寸法に加工されたスノコを取り付けることから、以下のような問題点があった。
（１）寸法のバリエーションが必要である。
押入内部の寸法は、住宅のモジュール（尺基準、メートル基準）の違い、壁材の厚さの違い、真壁か大壁かの違い等によって、数ｃｍ〜３０ｃｍ程度の違いが生じるため、予め多種類の寸法のスノコをバリエーションとして用意しておくか、あるいは別途見切り材等で対応する必要があった。
【０００５】
（２）施工精度による手直しが面倒である。
同一モジュールや同一構造でも、施工精度が悪ければ数ｍｍ程度の誤差が生じる場合が多い。特に木造住宅では構造材の乾燥の進行や反り等によって、数ｍｍ程度の誤差が発生しやすく、細かな手直しが必要である。しかし、予め完全に組み立てられた状態のスノコの寸法を現場で手直しするためには、スノコを構成する桟木と表面材を同時に削らなければならない等の、面倒な作業が必要であった。
【０００６】
なお、スノコの寸法を現場で合わせることができるように、スノコを伸縮式としたものもあるが、構造が複雑で高価、接合部分の強度が劣る、固定ネジのため見栄えが悪い、木製では製造困難等の問題点があった。
【０００７】
そこで本発明は、上記従来の課題を解決するためのものであり、様々な内部寸法の押入に対して取付可能で、細かな手直しも容易な押入用棚板及びその施工方法を提供するものである。
【課題を解決するための手段】
【０００８】
上記従来の課題を解決するために、請求項１に係る発明の押入用棚板の施工方法は、押入内の前受け部材（１）と後受け部材（２）と左右の横受け部材（３，３）との間に棚板を取り付ける押入用棚板の施工方法であって、前記前受け部材（１）と前記後受け部材（２）との間の長さ（Ｌ1）よりも長い複数の第１板材（１０）を並列させるとともに、前記第１板材（１０）と直交するように前記左右の横受け部材（３，３）の間の長さ（Ｌ2）よりも長い複数の第２板材（２０）を並列させ、かつ前記第１板材（１０）の長手方向の端部（１０ａ）を前記第２板材（２０）の幅方向の端部から突出させ、前記第２板材（２０）の長手方向の端部（２０ａ）を前記第１板材（１０）の幅方向の端部から突出させた状態で、前記第１板材（１０）と前記第２板材（２０）を固定して押入用棚板（１００）を形成し、前記第１板材（１０）の長手方向の端部（１０ａ）を、前記前受け部材（１）と前記後受け部材（２）との間の長さ（Ｌ1）に合わせて切断し、前記第２板材（２０）の長手方向の端部（２０ａ）を、前記左右の横受け部材（３，３）の間の長さ（Ｌ2）に合わせて切断し、前記第１板材（１０）の端部（１０ａ）及び前記第２板材（２０）の端部（２０ａ）を切断した押入用棚板（１００）を、前記前受け部材（１）と前記後受け部材（２）と前記左右の横受け部材（３，３）との間に取り付けることを特徴とする。
【０００９】
また、請求項２に係る発明の押入用棚板の施工方法は、押入内の前受け部材（１）と後受け部材（２）と左右の横受け部材（３，３）との間に棚板を取り付ける押入用棚板の施工方法であって、複数の第１板材（１０）を並列させるとともに、前記第１板材（１０）と直交するように前記左右の横受け部材（３，３）の間の長さ（Ｌ2）よりも長い複数の第２板材（２０）を並列させ、かつ前記第２板材（２０）の長手方向の端部（２０ａ）を前記第１板材（１０）の幅方向の端部から突出させた状態で、前記第１板材（１０）と前記第２板材（２０）を固定して押入用棚板（１００）を形成し、前記第２板材（２０）の長手方向の端部（２０ａ）を、前記左右の横受け部材（３，３）の間の長さ（Ｌ2）に合わせて切断し、前記第２板材（２０）の端部（２０ａ）を切断した押入用棚板（１００）を、前記前受け部材（１）と前記後受け部材（２）と前記左右の横受け部材（３，３）との間に取り付けることを特徴とする。
【００１０】
また、請求項３に係る発明の押入用棚板の施工方法は、押入内の前受け部材（１）と後受け部材（２）と左右の横受け部材（３，３）との間に棚板を取り付ける押入用棚板の施工方法であって、前記前受け部材（１）と前記後受け部材（２）との間の長さ（Ｌ1）よりも長い複数の第１板材（１０）を並列させるとともに、前記第１板材（１０）と直交するように複数の第２板材（２０）を並列させ、かつ前記第１板材（１０）の長手方向の端部（１０ａ）を前記第２板材（２０）の幅方向の端部から突出させた状態で、前記第１板材（１０）と前記第２板材（２０）を固定して押入用棚板（１００）を形成し、前記第１板材（１０）の長手方向の端部（１０ａ）を、前記前受け部材（１）と前記後受け部材（２）との間の長さ（Ｌ1）に合わせて切断し、前記第１板材（１０）の端部（１０ａ）を切断した押入用棚板（１００）を、前記前受け部材（１）と前記後受け部材（２）と前記左右の横受け部材（３，３）との間に取り付けることを特徴とする。
【００１１】
また、請求項４に係る発明は、請求項１乃至請求項３のうちいずれか一つに記載の発明において、前記第１板材（１０）及び前記第２板材（２０）を、それぞれ間隔を空けて並列させることを特徴とする。
【００１２】
また、請求項５に係る発明は、請求項１又は請求項２に記載の発明において、前記押入用棚板（１００）は、前記第１板材（１０）を表側に、前記第２板材（２０）を裏側に固定して形成されており、前記押入用棚板（１００）を取り付けた後、前記横受け部材（３，３）に隣接する前記第１板材（１０ｂ，１０ｃ）と壁材との隙間（Ｂ，Ｃ）に、その隙間（Ｂ，Ｃ）に対応した幅の板材（１１，１２）を固定することを特徴とする。
【００１３】
また、請求項６に係る発明は、請求項１又は請求項３に記載の発明において、前記押入用棚板（１００）は、前記第２板材（２０）を表側に、前記第１板材（１０）を裏側に固定して形成されており、前記押入用棚板（１００）を取り付けた後、前記前受け部材（１）に隣接する前記第２板材（２０）と前受け部材（１）との隙間、及び前記後受け部材（２）に隣接する前記第２板材（２０）と壁材との隙間に、その隙間に対応した幅の板材を固定することを特徴とする。
【００１４】
また、請求項７に係る発明は、請求項１乃至請求項６のうちいずれか一つに記載の発明において、前記第１板材（１０）と前記第２板材（２０）のうち裏側に固定された板材の表面を塗装することを特徴とする。
【００１５】
また、請求項８に係る発明の押入用棚板は、押入内の前受け部材（１）と後受け部材（２）と左右の横受け部材（３，３）との間に取り付ける押入用棚板（１００）であって、前記前受け部材（１）と前記後受け部材（２）との間の長さ（Ｌ1）よりも長い複数の第１板材（１０）を並列させるとともに、前記第１板材（１０）と直交するように前記左右の横受け部材（３，３）の間の長さ（Ｌ2）よりも長い複数の第２板材（２０）を並列させ、前記第１板材（１０）の長手方向の端部（１０ａ）を前記前受け部材（１）と前記後受け部材（２）との間の長さ（Ｌ1）に合わせて切断可能なように、前記第１板材（１０）の長手方向の端部（１０ａ）を前記第２板材（２０）の幅方向の端部から突出させ、前記第２板材（２０）の長手方向の端部（２０ａ）を前記左右の横受け部材（３，３）の間の長さ（Ｌ2）に合わせて切断可能なように、前記第２板材（２０）の長手方向の端部（２０ａ）を前記第１板材（１０）の幅方向の端部から突出させた状態で、前記第１板材（１０）と前記第２板材（２０）を固定したことを特徴とする。
【００１６】
また、請求項９に係る発明の押入用棚板は、押入内の前受け部材（１）と後受け部材（２）と左右の横受け部材（３，３）との間に取り付ける押入用棚板（１００）であって、複数の第１板材（１０）を並列させるとともに、前記第１板材（１０）と直交するように前記左右の横受け部材（３，３）の間の長さ（Ｌ2）よりも長い複数の第２板材（２０）を並列させ、前記第２板材（２０）の長手方向の端部（２０ａ）を前記左右の横受け部材（３，３）の間の長さ（Ｌ2）に合わせて切断可能なように、前記第２板材（２０）の長手方向の端部（２０ａ）を前記第１板材（１０）の幅方向の端部から突出させた状態で、前記第１板材（１０）と前記第２板材（２０）を固定したことを特徴とする。
【００１７】
また、請求項１０に係る発明の押入用棚板は、押入内の前受け部材（１）と後受け部材（２）と左右の横受け部材（３，３）との間に取り付ける押入用棚板（１００）であって、前記前受け部材（１）と前記後受け部材（２）との間の長さ（Ｌ1）よりも長い複数の第１板材（１０）を並列させるとともに、前記第１板材（１０）と直交するように複数の第２板材（２０）を並列させ、前記第１板材（１０）の長手方向の端部（１０ａ）を前記前受け部材（１）と前記後受け部材（２）との間の長さ（Ｌ1）に合わせて切断可能なように、前記第１板材（１０）の長手方向の端部（１０ａ）を前記第２板材（２０）の幅方向の端部から突出させた状態で、前記第１板材（１０）と前記第２板材（２０）を固定したことを特徴とする。
【００１８】
また、請求項１１に係る発明は、請求項８乃至請求項１０のうちいずれか一つに記載の発明において、前記第１板材（１０）及び前記第２板材（２０）を、それぞれ間隔を空けて並列させたことを特徴とする。
【００１９】
なお、括弧内の記号は、発明を実施するための最良の形態および図面に記載された対応要素または対応事項を示す。
また、請求項１乃至請求項１１において、押入用棚板を構成する複数の第１板材は、同一の幅であってもよいし、異なる幅であってもよい。同様に複数の第２板材は、同一の幅であってもよいし、異なる幅であってもよい。
また、第１板材及び第２板材は、それぞれ長手方向の両端を突出させてもよいし、いずれか一端を突出させてもよい。
【発明の効果】
【００２０】
請求項１に記載の発明によれば、前受け部材と後受け部材との間の長さよりも長い複数の第１板材を並列させ、左右の横受け部材の間の長さよりも長い複数の第２板材を並列させ、両者を直交するように固定して押入用棚板を形成するので、後から第１板材と第２板材の余分な部分を切断することで押入の前後左右の内部寸法に合わせて押入用棚板の大きさを調整することができる。
また、第１板材の長手方向の端部を第２板材の幅方向の端部から突出させ、第２板材の長手方向の端部を第１板材の幅方向の端部から突出させるので、第１板材を切断するときに第２板材が邪魔にならず、第２板材を切断するときに第１板材が邪魔にならない。
そして、第１板材を前受け部材と後受け部材との間の長さに合わせて切断し、第２板材を左右の横受け部材の間の長さに合わせて切断した後に取り付ければ、押入の前後左右の内部寸法に合わせて押入用棚板を取り付けることができる。従って、様々な前後左右の内部寸法の押入に対して取り付けることができる。
【００２１】
請求項２に記載の発明によれば、複数の第１板材を並列させ、左右の横受け部材の間の長さよりも長い複数の第２板材を並列させ、両者を直交するように固定して押入用棚板を形成するので、後から第２板材の余分な部分を切断することで押入の左右の内部寸法に合わせて押入用棚板の大きさを調整することができる。
また、第２板材の長手方向の端部を第１板材の幅方向の端部から突出させるので、第２板材を切断するときに第１板材が邪魔にならない。
そして、第２板材を左右の横受け部材の間の長さに合わせて切断した後に取り付ければ、押入の左右の内部寸法に合わせて押入用棚板を取り付けることができる。従って、様々な左右の内部寸法の押入に対して取り付けることができる。
【００２２】
請求項３に記載の発明によれば、前受け部材と後受け部材との間の長さよりも長い複数の第１板材を並列させ、複数の第２板材を並列させ、両者を直交するように固定して押入用棚板を形成するので、後から第１板材の余分な部分を切断することで押入の前後の内部寸法に合わせて押入用棚板の大きさを調整することができる。
また、第１板材の長手方向の端部を第２板材の幅方向の端部から突出させるので、第１板材を切断するときに第２板材が邪魔にならない。
そして、第１板材を前受け部材と後受け部材との間の長さに合わせて切断した後に取り付ければ、押入の前後の内部寸法に合わせて押入用棚板を取り付けることができる。従って、様々な前後の内部寸法の押入に対して取り付けることができる。
【００２３】
また、請求項４に記載の発明によれば、請求項１乃至請求項３のうちいずれか一つに記載の発明の作用効果に加えて、第１板材と第２板材を、それぞれ間隔を空けて並列させるので、押入用棚板の上下方向に空気の通り道を形成し、押入の上下方向の空気の循環を良好にして、押入内の湿度を低下させ結露や黴の発生を防止することができる。
【００２４】
また、請求項５に記載の発明によれば、請求項１又は請求項２に記載の発明の作用効果に加えて、第１板材を表側に、第２板材を裏側に固定して形成した押入用棚板を取り付けた後に、横受け部材に隣接する第１板材と壁材との隙間に、その隙間に対応した幅の板材を固定するので、左右に発生する隙間を容易に埋めることができる。従って、表側の第１板材を並列させるときに、左右方向の幅を考慮する必要がない。
【００２５】
また、請求項６に記載の発明によれば、請求項１又は請求項３に記載の発明の作用効果に加えて、第２板材を表側に、第１板材を裏側に固定して形成した押入用棚板を取り付けた後に、前受け部材に隣接する第２板材と前受け部材との隙間、及び後受け部材に隣接する第２板材と壁材との隙間に、その隙間に対応した幅の板材を固定するので、前後に発生する隙間を容易に埋めることができる。従って、表側の第２板材を並列させるときに、前後方向の幅を考慮する必要がない。
【００２６】
また、請求項７に記載の発明によれば、請求項１乃至請求項６のうちいずれか一つに記載の発明の作用効果に加えて、第１板材と第２板材のうち裏側に固定された板材の表面を塗装するので、反りを防止し、また臭気や汚れの付着を防止することができる。
【００２７】
また、請求項８に記載の発明によれば、前受け部材と後受け部材との間の長さよりも長い複数の第１板材を並列させ、左右の横受け部材の間の長さよりも長い複数の第２板材を並列させ、両者を直交するように固定して押入用棚板を形成したので、後から第１板材と第２板材の余分な部分を切断することで押入の前後左右の内部寸法に合わせて押入用棚板の大きさを調整することができる。
また、第１板材の長手方向の端部を第２板材の幅方向の端部から突出させたので、第１板材を前受け部材と後受け部材との間の長さに合わせて切断可能で、切断するときに第２板材が邪魔にならない。また、第２板材の長手方向の端部を第１板材の幅方向の端部から突出させたので、第２板材を左右の横受け部材の間の長さに合わせて切断可能で、切断するときに第１板材が邪魔にならない。
従って、押入の前後左右の内部寸法に合わせることができ、様々な前後左右の内部寸法の押入に対して取り付けることができる。
【００２８】
また、請求項９に記載の発明によれば、複数の第１板材を並列させ、左右の横受け部材の間の長さよりも長い複数の第２板材を並列させ、両者を直交するように固定して押入用棚板を形成したので、後から第２板材の余分な部分を切断することで押入の左右の内部寸法に合わせて押入用棚板の大きさを調整することができる。
また、第２板材の長手方向の端部を第１板材の幅方向の端部から突出させたので、第２板材を左右の横受け部材の間の長さに合わせて切断可能で、切断するときに第１板材が邪魔にならない。
従って、押入の左右の内部寸法に合わせることができ、様々な左右の内部寸法の押入に対して取り付けることができる。
【００２９】
また、請求項１０に記載の発明によれば、前受け部材と後受け部材との間の長さよりも長い複数の第１板材を並列させ、複数の第２板材を並列させ、両者を直交するように固定して押入用棚板を形成したので、後から第１板材の余分な部分を切断することで押入の前後の内部寸法に合わせて押入用棚板の大きさを調整することができる。
また、第１板材の長手方向の端部を第２板材の幅方向の端部から突出させたので、第１板材を前受け部材と後受け部材との間の長さに合わせて切断可能で、切断するときに第２板材が邪魔にならない。
従って、押入の前後の内部寸法に合わせることができ、様々な前後の内部寸法の押入に対して取り付けることができる。
【００３０】
また、請求項１１に記載の発明によれば、請求項８乃至請求項１０のうちいずれか一つに記載の発明の作用効果に加えて、第１板材と第２板材を、それぞれ間隔を空けて並列させたので、押入用棚板の上下方向に空気の通り道を形成し、押入の上下方向の空気の循環を良好にして、押入内の湿度を低下させ結露や黴の発生を防止することができる。
【発明を実施するための最良の形態】
【００３１】
次に、図１乃至図７を参照して、本発明の実施形態に係る押入用棚板及び押入用棚板の施工方法について説明する。
【００３２】
最初に図１及び図２を参照して、本実施形態に係る押入用棚板を取り付ける押入と受け部材について説明する。図１は、押入用棚板を取り付ける前の押入を示す斜視図であり、図２は、図１における受け部材を示す拡大斜視図である。
【００３３】
押入内には、その内部を上下に分割して仕切る棚板を取り付けるための受け部材が設けられている。この受け部材は、前受け部材１、後受け部材２、横受け部材３，３から構成された矩形状になっており、押入内の壁面に固定されている。
ここで、前受け部材１と後受け部材２との間の長さはＬ1であり、左右の横受け部材３，３の間の長さはＬ2である。また、前受け部材１の上下方向の厚さは後受け部材２や横受け部材３，３の厚さよりも厚く、後受け部材２の上下方向の厚さは横受け部材３，３の厚さよりも厚くなっている。そして、前受け部材１、後受け部材２、横受け部材３，３は下面が同一の高さの位置となるように固定され、前後方向に窪みが形成されるようになっている。
また、前受け部材１の後側（後受け部材２側）の上部には切り欠き部１ａが形成されている。
【００３４】
次に図３乃至図７を参照して、本実施形態に係る押入用棚板１００及びその施工方法について説明する。図３は、押入用棚板１００を示す斜視図である。
【００３５】
押入用棚板１００は、複数の第１板材１０と複数の第２板材２０から構成されている。第１板材１０及び第２板材２０は、それぞれ所定の間隔を空けて並列させてあり、第１板材１０と第２板材２０は互いに直交するように配置されている。また、第１板材１０が表側に、第２板材２０が裏側に配置されており、第１板材１０が「表面材」、第２板材２０が「裏面材」となっている。なお、第１板材１０、第２板材２０の枚数は、複数であれば特に限定されない。
【００３６】
第１板材１０の長さＭ1は、図２における前受け部材１と後受け部材２との間の長さＬ1よりも長く、また第２板材２０の長さＭ2は、図２における左右の横受け部材３，３の間の長さＬ2よりも長くなっている。
なお、押入用棚板１００を構成する複数の第１板材１０は、同一の幅であってもよいし、異なる幅であってもよい。同様に複数の第２板材２０は、同一の幅であってもよいし、異なる幅であってもよい。
【００３７】
そして、第１板材１０の長手方向の端部を第２板材２０の幅方向の端部から突出させ、第２板材２０の長手方向の端部を第１板材１０の幅方向の端部から突出させた状態で、第１板材１０と第２板材２０が釘や接着剤等で固定され、押入用棚板１００が完成する。
【００３８】
本実施形態では、表面材である第１板材１０の長手方向後側（後受け部材２側）の端部の裏側には、裏面材である第２板材２０は存在しない。同様に、裏面材である第２板材２０の長手方向の両端部の表側には、表面材である第１板材１０は存在しない。また、本実施形態では、第１板材１０の長手方向前側（前受け部材１側）の端部を、後述するように前受け部材１の切り欠き部１ａに嵌合させるため、わずかに突出させている。
なお、第１板材１０及び第２板材２０は、それぞれ長手方向の両端を突出させてもよいし、いずれか一端を突出させてもよい。
【００３９】
次に、上記のように形成した押入用棚板１００を押入の前受け部材１、後受け部材２、横受け部材３，３に取り付ける。この際、図４に示すように、第１板材１０及び第２板材２０の余分な部分を鋸４等により切断する。図４は、押入用棚板１００の端部を切断する様子を示す斜視図である。
このとき、第１板材１０の長さが押入の前受け部材１と後受け部材２との間の長さＬ1と等しくなるように、第１板材１０の長手方向の端部１０ａを切断除去する。同様に、第２板材２０の長さが押入の左右の横受け部材３，３の間の長さＬ2と等しくなるように、第２板材２０の長手方向の端部２０ａを切断除去する。
【００４０】
なお、図４に示すように複数の第１板材１０は、すべて左右の横受け部材３，３の間の長さＬ2の範囲内に納まるように予め配置されている。同様に、複数の第２板材２０は、すべて前受け部材１と後受け部材２との間の長さＬ1の範囲内に納まるように予め配置されている。
【００４１】
次に、上記のように第１板材１０の端部１０ａ及び第２板材２０の端部２０ａを切断除去した押入用棚板１００を、図５に示すように、前受け部材１、後受け部材２、横受け部材３，３により形成された受け部材に上から落とし込むようにして取り付ける。そして、第１板材１０の後側（後受け部材２側）の端部を、後受け部材２の上面に釘や接着剤等により固定する。
このとき、第１板材１０の長さが押入の前受け部材１と後受け部材２との間の長さＬ1と等しく、第２板材２０の長さが押入の左右の横受け部材３，３の間の長さＬ2と等しいので、押入用棚板１００は受け部材上に過不足なくぴったりと取り付けられる。
【００４２】
一方、左側の横受け部材３に隣接する第１板材１０ｂと壁材との間には、隙間Ｂが生じている。同様に、右側の横受け部材３に隣接する第１板材１０ｃと壁材との間には、隙間Ｃが生じている。
そこで、この隙間Ｂ及び隙間Ｃを埋めるために、隙間Ｂには隙間Ｂに対応した幅の板材１１を固定し、隙間Ｃには隙間Ｃに対応した幅の板材１２を固定する。これら板材１１及び板材１２の長さ及び厚さは、第１板材１０と等しくなっている。こうした隙間を埋めるための板材は、様々な幅のものを用意しておくとよい。
【００４３】
このように、一旦押入用棚板１００を受け部材に取り付けた後から、両サイドの隙間を埋めることができるので、予め第１板材１０の左右方向の配置を左右の横受け部材３，３の間の長さＬ2に合わせる必要はない。
もちろん、予め左右の横受け部材３，３の間の長さＬ2に合わせて、第１板材１０を配置しておいてもよい。
【００４４】
図６は、図５のＡ−Ａ断面図である。図６に示すように、第１板材１０の前側（前受け部材１側：図６の左側）端部は、第２板材２０からわずかに突出するとともに、前受け部材１の上部に形成された切り欠き部１ａに嵌合するように取り付けられている。また、第１板材１０の後側（後受け部材２側：図６の右側）端部は、後受け部材２の上面で支持されている。さらに第２板材２０が横受け部材３，３の上面で支持されている。
このようにして、押入用棚板１００が前受け部材１、後受け部材２、横受け部材３，３に支持されるとともに、上面が平坦に形成されている。
【００４５】
なお、押入用棚板１００と受け部材との係合構造は本実施形態の構造に限られるものではない。例えば、前受け部材１に切り欠き部１ａを設けず、第１板材１０の前側端部を前受け部材１の上面全体で支持するようにしてもよい。
【００４６】
以上のようにして、図７に示すように、押入内の前受け部材１、後受け部材２、横受け部材３，３との間に押入用棚板１００を取り付ける。
【００４７】
本実施形態に係る押入用棚板１００及びその取付方法によれば、前受け部材１と後受け部材２との間の長さＬ1よりも長い複数の第１板材１０を並列させ、左右の横受け部材３，３の間の長さＬ2よりも長い複数の第２板材２０を並列させ、両者を直交するように固定して押入用棚板１００を形成するので、後から第１板材１０と第２板材２０の余分な部分を切断することで押入の前後左右の内部寸法に合わせて押入用棚板１００の大きさを調整することができる。
【００４８】
また、第１板材１０の長手方向の端部１０ａを第２板材２０の幅方向の端部から突出させ、第２板材２０の長手方向の端部２０ａを第１板材１０の幅方向の端部から突出させるので、第１板材１０を切断するときに第２板材２０が邪魔にならず、第２板材２０を切断するときに第１板材１０が邪魔にならない。
【００４９】
そして、第１板材１０を前受け部材１と後受け部材２との間の長さＬ1に合わせて切断し、第２板材２０を左右の横受け部材３，３の間の長さＬ2に合わせて切断した後に取り付ければ、押入の前後左右の内部寸法に合わせて押入用棚板１００を取り付けることができる。従って、様々な前後左右の内部寸法の押入に対して取り付けることができる。
【００５０】
また、押入や受け部材の施工精度が低く、数ｍｍ程度の誤差が生じる場合でも、第１板材１０や第２板材２０を小型の鋸等で切断して、容易に調整することが可能である。
また、単純な構造で部材点数も少なく強度に優れており、見栄えもよい。
【００５１】
また、第１板材１０と第２板材２０を、それぞれ間隔を空けて並列させるので、押入用棚板１００の上下方向に空気の通り道を形成し、押入の上下方向の空気の循環を良好にして、押入内の湿度を低下させ結露や黴の発生を防止することができる。
【００５２】
また、第１板材１０を表側に、第２板材２０を裏側に固定して形成した押入用棚板１００を取り付けた後に、横受け部材３，３に隣接する第１板材１０ｂ，１０ｃと壁材との隙間Ｂ，Ｃに、その隙間Ｂ，Ｃに対応した幅の板材１１，１２を固定するので、左右に発生する隙間Ｂ，Ｃを容易に埋めることができる。従って、表側の第１板材１０を並列させるときに、左右方向の幅を考慮する必要がない。
【００５３】
なお、第１板材１０や第２板材２０の表面には、ウレタン系塗料等により塗装を施すことが好ましい。これにより、長期間の使用による臭気や汚れの付着を防止することができる。特に、裏面材となる第２板材２０については、水分の吸放出を妨げるような塗料を塗布して、長期間の使用による反りを防止することが効果的である。
【００５４】
また、本実施形態のように、第１板材１０と第２板材２０を、それぞれ間隔を空けて並列させることで、押入用棚板１００の上下方向に空気の通り道を形成することが好ましいが、間隔を空けずに並列させてもよい。その場合であっても、隣り合う板材の間に若干の隙間が生じることから、１枚の板材で棚板を形成するのと比べれば通気性を向上させることが可能である。
【００５５】
また、本実施形態では、第１板材１０と第２板材２０の両方を切断するようにしたが、いずれか一方のみを切断するようにしてもよい。
例えば、予め第１板材１０の長さを前受け部材１と後受け部材２との間の長さＬ1に合わせて形成しておき、第２板材２０の長手方向の端部２０ａのみを第１板材１０の幅方向の端部から突出させておく。そして、左右の横受け部材３，３の間の長さＬ2に合わせて第２板材２０の長手方向の端部２０ａを切断する。
こうすれば、押入の左右の内部寸法に合わせて押入用棚板を取り付けることができるので、様々な左右の内部寸法の押入に対して対応可能である。
【００５６】
逆に、予め第２板材２０の長さを左右の横受け部材３，３の間の長さＬ2に合わせて形成しておき、第１板材１０の長手方向の端部１０ａのみを第２板材２０の幅方向の端部から突出させておく。そして、前受け部材１と後受け部材２との間の長さＬ1に合わせて第１板材１０の長手方向の端部１０ａを切断する。
こうすれば、押入の前後の内部寸法に合わせて押入用棚板を取り付けることができるので、様々な前後の内部寸法の押入に対して対応可能である。
【００５７】
また、本実施形態では、前後方向の第１板材１０を表側に、左右方向の第２板材２０を裏側に固定したが、表裏を逆にしてもよい。そうすると、前後方向の第２板材２０が「表面材」になり、左右方向の第１板材１０が「裏面材」となる。
このとき、前受け部材１に隣接する第２板材２０と前受け部材１との隙間、及び後受け部材２に隣接する第２板材２０と壁材との間に隙間が生じる場合があるが、その隙間に対応した幅の板材を固定することにより、本実施形態と同様に、前後に発生する隙間を容易に埋めることができる。
【図面の簡単な説明】
【００５８】
【図１】本発明の実施形態に係る押入用棚板を取り付ける前の押入を示す斜視図である。
【図２】図１における受け部材を示す拡大斜視図である。
【図３】本発明の実施形態に係る押入用棚板を示す斜視図である。
【図４】本発明の実施形態に係る押入用棚板の端部を切断する様子を示す斜視図である。
【図５】本発明の実施形態に係る押入用棚板を受け部材に取り付ける様子を示す斜視図である。
【図６】図５のＡ−Ａ断面図である。
【図７】本発明の実施形態に係る押入用棚板を取り付けた状態の押入を示す斜視図である。
【図８】従来例に係る押入用棚板を取り付けた状態の押入を示す斜視図である。
【符号の説明】
【００５９】
１      前受け部材
１ａ    切り欠き部
２      後受け部材
３      横受け部材
４      鋸
１０      第１板材
１０ａ    端部
１１      板材
１２      板材
２０      第２板材
２０ａ    端部
１００      押入用棚板
２００      押入用棚板
【図１】
2008038533.tif 000003
【図２】
2008038533.tif 000004
【図３】
2008038533.tif 000005
【図４】
2008038533.tif 000006
【図５】
2008038533.tif 000007
【図６】
2008038533.tif 000008
【図７】
2008038533.tif 000009
【図８】
2008038533.tif 000010